【手続補正書】
【提出日】平成17年11月25日(2005.11.25)
【手続補正１】
【補正対象書類名】明細書
【補正対象項目名】発明の名称
【補正方法】変更
【補正の内容】
【発明の名称】物品処理装置及び方法、並びにＭｇ合金処理方法
【手続補正２】
【補正対象書類名】明細書
【補正対象項目名】特許請求の範囲
【補正方法】変更
【補正の内容】
【特許請求の範囲】
【請求項１】  物品を処理する処理室と、
上記処理室内と外部との間で上記物品を搬送し、上記処理室内の気体を外部気体から遮断する液体を有する搬送通路と、
上記処理室及び上記搬送通路に設けられ、上記処理室内から上記液体内を通り、上記物品を搬送する搬送装置と、
を備えることを特徴とする物品処理装置。
【請求項２】  上記処理室に接続され、上記処理室内を上記物品の処理に必要な圧力に設定する圧力調整装置をさらに備えた請求項１に記載の物品処理装置。
【請求項３】  上記処理室に接続され、上記処理室内を上記物品の処理に必要な雰囲気に設定するガス充填装置をさらに備えた請求項１または２に記載の物品処理装置。
【請求項４】  搬送通路は、
一端が上記処理室の下部に開口し、上記処理室の下部から下方へ延在する第１管部と、
一端が上記外部に通じて、上記一端より下方にある他端が第１管部他端に連通する第２管部と、
を備えた管にてなる請求項１〜３のいずれか１つに記載の物品処理装置。
【請求項５】  上記物品は金属であり、上記金属に対して上記処理室内にて処理を行う場合、
上記処理室の上部に接続され、固体の金属を溶解して溶融金属にして上記処理室内へ供給する溶解装置と、
上記処理室内で上記溶解装置と上記搬送装置との間に配置され、上記溶解装置から供給される上記溶融金属を冷却しかつ成形して成形金属にし、下方の上記搬送装置に上記成形金属を供給する金属加工装置とをさらに備えた請求項１〜４のいずれか１つに記載の物品処理装置。
【請求項６】  上記処理室と上記外部との差圧を調整する圧力調整部を上記搬送通路にさらに備えた請求項４に記載の物品処理装置。
【請求項７】  上記圧力調整部は、
中間室と、第２搬送通路と、第２搬送装置とを備え、
上記中間室は、上記第２管部一端に開口して接続され、上記処理室と上記中間室との第２外部の外部気体の圧力と、上記処理室内気体の圧力との間の圧力に設定され、
上記中間室内気体を上記第２外部の外部気体から遮断する第２液体を有する上記第２搬送通路は、一端が上記中間室の第２下部に開口し、上記第２下部から下方へ延在する第３管部と、一端が上記第２外部に通じて、上記一端より下方にある他端が第３管部他端に連通する第４管部とを備えた管にてなり、
上記第２搬送装置は、上記搬送装置に接続され、かつ、上記中間室及び上記第２搬送通路に設けられ、上記第２外部と上記中間室との間で上記液体内を通り、上記物品を搬送する請求項６に記載の物品処理装置。
【請求項８】  上記処理室及び上記搬送通路に設けられ、上記処理室内と上記外部との間で上記液体内を通り、上記物品を搬送する第３搬送装置をさらに備え、
上記搬送装置及び上記第３搬送装置のいずれか一方にて、上記外部から上記処理室内に上記物品を搬入し、
いずれかの他方にて、上記処理室から上記外部へ上記物品を搬出する請求項１〜３のいずれか１つに記載の物品処理装置。
【請求項９】 一端が上記処理室の下部または上記第１管部に開口し、上記一端から下方へ延在する第５管部と、一端が上記外部に通じて、上記一端より下方にある他端が第５管部他端に連通する第６管部とを備えた管にてなり、上記処理室内気体を上記外部気体から遮断する上記液体を有する第３搬送通路と、
上記処理室及び上記第３搬送通路に設けられ、上記処理室内と上記外部との間で上記液体内を通り、上記物品を搬送する第４搬送装置と、
をさらに備え、
上記搬送装置及び上記第４搬送装置のいずれか一方にて、上記外部から上記処理室内に上記物品を搬入し、
いずれかの他方にて、上記処理室から上記外部へ上記物品を搬出する請求項４に記載の物品処理装置。
【請求項１０】  処理室の室内気体を外部気体から遮断する液体を通って、上記処理室内へ物品の搬入と搬出をすることを特徴とする物品処理方法。
【請求項１１】  溶解されたＭｇ合金を、不活性ガスが導入された処理室内へ供給する工程と、
上記溶解されたＭｇ合金を冷却しかつ成形して成形金属にする工程と、
上記処理室に配置された液体を通って、上記成形金属を搬出する工程と、
を順次に行うことを特徴とするＭｇ合金処理方法。
【手続補正３】
【補正対象書類名】明細書
【補正対象項目名】０００１
【補正方法】変更
【補正の内容】
【０００１】
【発明の属する技術分野】
本発明は、外気と隔離された空間での物品の処理装置及び処理方法、並びにＭｇ合金処理方法に関する。より詳細には、本発明は、例えば、Ｍｇ合金などの鋳造欠陥の少ない良質な金属塊を連続的に得るための、減圧状態での金属の連続鋳造を行う装置及び処理方法に関する。
【手続補正４】
【補正対象書類名】明細書
【補正対象項目名】０００８
【補正方法】変更
【補正の内容】
【０００８】
従って、本発明の目的は、上記問題を解決することにあって、複数の物品を特殊圧力下や特殊雰囲気下で連続的に処理する場合に、隔離空間の開放を伴うことなく物品の搬出をすることにより、圧力操作やチャージ・リークを必要とせず、生産のサイクルタイムを長期化させることなく連続的な処理が実施できる物品処理装置及び方法、並びにＭｇ合金処理方法を提供することにある。
【手続補正５】
【補正対象書類名】明細書
【補正対象項目名】００１９
【補正方法】変更
【補正の内容】
【００１９】
本発明の第１０態様によれば、処理室の室内気体を外部の外部気体から遮断する液体を通って上記外部から上記処理室内に上記処理室を開放することなく物品の搬入をし、上記液体を通って上記処理室内から上記外部に上記処理室の開放することなく上記処理室内で処理された上記物品の搬出をするようにしたことを特徴にする物品処理方法を提供する。
本発明の第１１態様によれば、溶解されたＭｇ合金を、不活性ガスが導入された処理室内へ供給する工程と、
上記溶解されたＭｇ合金を冷却しかつ成形して成形金属にする工程と、
上記処理室に配置された液体を通って、上記成形金属を搬出する工程と、
を順次に行うことを特徴とするＭｇ合金処理方法を提供する。
【手続補正６】
【補正対象書類名】明細書
【補正対象項目名】０１０５
【補正方法】変更
【補正の内容】
【０１０５】
また本発明の物品処理方法によれば、上記処理室の室内気体を上記外部の外部気体から遮断する上記液体を通って上記外部から上記処理室内に上記処理室を開放することなく上記物品の搬入をし、上記液体を通って上記処理室内から上記外部に上記処理室の開放することなく上記処理室内で処理された上記物品の搬出を行う。この結果、上記処理室内で処理された上記物品を上記外部に搬出する毎に、また上記物品を上記外部から上記処理室内に搬入する毎に処理室内の圧力調整またはガスの導入、排気を行わずに上記物品の処理ができ、処理のサイクルタイムを短縮することができる。
また本発明のＭｇ合金処理方法によれば、溶解されたＭｇ合金を、不活性ガスが導入された処理室内へ供給する工程と、上記溶解されたＭｇ合金を冷却しかつ成形して成形金属にする工程と、上記処理室に配置された液体を通って、上記成形金属を搬出する工程とを順次に行う。この結果、上記Ｍｇ合金の上記成形金属を搬出する毎に処理室内の圧力調整またはガスの導入、排気を行わずにＭｇ合金の処理ができ、処理のサイクルタイムを短縮することができる。